(57)【要約】【課題】複数の光ディスクが載置されたロータリトレイがディスクチェンジャの収納部から引き出されたとき、メモリに記憶されているディスク情報とマーカとの記憶を保持し、交換されていない光ディスクのマーカを表示装置の画面に表示して、表示されたマーカを選択して光ディスクを再生することができるようにする。【解決手段】ロータリトレイが収納部から引き出されたとき、記憶されているディスク情報とマーカとの記憶を保持し、ロータリトレイが収納部に引き込まれたとき、光ディスクを再生してディスク情報を読み出し、読み出されたディスク情報と記憶されているディスク情報とを照合し、その照合結果が一致した場合、記憶されているディスク情報とマーカとを表示し、その照合結果が一致しない場合、ディスク情報を更新するとともに、記憶されているマーカを消去するようにする。【選択図】　　　　図５
2004047030.tif 000002
【特許請求の範囲】
【請求項１】
ロータリトレイに載置された複数の光ディスクを選択して光ディスクを再生するディスク再生装置において、ロータリトレイのディスク番号が割り当てられたディスク載置部に載置された光ディスクのディスク情報とマーカとを該ディスク番号とともに記憶する記憶手段と、ロータリトレイに載置された光ディスクを選択する選択手段と、選択されたディスク番号の光ディスクを再生してディスク情報を読み出し、読み出されたディスク情報と前記記憶手段に記憶されている該ディスク番号のディスク情報とを照合して、光ディスクを判別する判別手段と、前記記憶手段に記憶されているディスク情報とマーカとを表示する表示手段と、前記表示手段により表示されたマーカを選択するマーカ選択手段と、マーカをサーチして光ディスクを再生する再生手段とを備え、ロータリトレイが収納部から引き出されたとき、前記記憶手段に記憶されているディスク情報とマーカとの記憶を保持し、ロータリトレイが収納部に引き込まれ、光ディスクが選択されたとき、選択された光ディスクを再生してディスク情報を読み出して、読み出されたディスク情報と前記記憶手段に記憶されている該ディスク番号のディスク情報とを照合し、その照合結果が一致しないと判別された場合、光ディスクから読み出されたディスク情報を前記記憶手段に記憶して該ディスク番号のディスク情報を更新するとともに、前記記憶手段に記憶されているマーカを消去し、その照合結果が一致したと判別された場合、前記記憶手段に記憶されているディスク情報とマーカとを表示し、表示されたマーカを選択して、選択されたマーカをサーチして光ディスクを再生するようにしたことを特徴とする請求項２記載のディスク再生装置。
【請求項２】
ロータリトレイに載置された複数の光ディスクを選択して光ディスクを再生するディスク再生装置において、ロータリトレイのディスク番号が割り当てられたディスク載置部に載置された光ディスクのディスク情報とマーカとを該ディスク番号とともに記憶する記憶手段と、ロータリトレイに載置された光ディスクを選択する選択手段と、選択されたディスク番号の光ディスクを再生してディスク情報を読み出し、読み出されたディスク情報と前記記憶手段に記憶されている該ディスク番号のディスク情報とを照合して、光ディスクを判別する判別手段と、前記記憶手段に記憶されているディスク情報とマーカとを表示する表示手段とを備え、ロータリトレイが収納部から引き出されたとき、前記記憶手段に記憶されているディスク情報とマーカとの記憶を保持し、ロータリトレイが収納部に引き込まれ、光ディスクが選択されたとき、選択された光ディスクを再生してディスク情報を読み出して、読み出されたディスク情報と前記記憶手段に記憶されている該ディスク番号のディスク情報とを照合し、その照合結果が一致したと判別された場合、前記記憶手段に記憶されているディスク情報とマーカとを表示し、その照合結果が一致しないと判別された場合、光ディスクから読み出されたディスク情報を前記記憶手段に記憶して該ディスク番号のディスク情報を更新するとともに、前記記憶手段に記憶されているマーカを消去するようにしたことを特徴とするディスク再生装置。
【請求項３】
前記判別手段は、光ディスクに記録されているタイトルを読み出してタイトルを照合し、光ディスクを判別する判別手段であることを特徴とする請求項１又は請求項２のいずれかに記載のディスク再生装置。
【請求項４】
前記判別手段は、光ディスクに記録されているボリュームラベルを読み出してボリュームラベルを照合し、光ディスクを判別する判別手段であることを特徴とする請求項１又は請求項２のいずれかに記載のディスク再生装置。
【請求項５】
前記表示手段により表示されたマーカを選択するマーカ選択手段と、マーカをサーチして光ディスクを再生する再生手段とを備え、前記表示手段により表示されたマーカが前記マーカ選択手段により選択されたとき、選択されたマーカをサーチして光ディスクを再生するようにしたことを特徴とする請求項２記載のディスク再生装置。
【請求項６】
前記マーカ選択手段によりマーカが選択されたとき、前記表示手段は、選択されたマーカの表示と選択されていないマーカの表示とを異なる表示で表示することを特徴とする請求項１又は請求項５のいずれかに記載のディスク再生装置。
【発明の詳細な説明】
【０００１】
【発明の属する技術分野】本発明は、ディスクチェンジャに収納されたＤＶＤ（Ｄｉｇｉｔａｌ　Ｖｅｒｓａｔｉｌｅ　Ｄｉｓｋ）、ＣＤ（Ｃｏｍｐａｃｔ　Ｄｉｓｋ）等の複数の光ディスクを選択して再生するディスク再生装置に関する。
【０００２】
【従来の技術】周知のように、ディスクチェンジャに収納された複数の光ディスクを選択して光ディスクを再生するディスク再生装置は、ディスクチェンジャに収納された複数の光ディスクを交換することが可能となっていて、複数の光ディスクが装填されたマガジン等がディスクチェンジャの収納部から取り外されたとき、メモリに記憶されているディスク情報等が消去され、複数の光ディスクが装填されたマガジン等がディスクチェンジャの収納部に取り付けられたとき、複数の光ディスクからディスク情報を読み出して、メモリに記憶するようになっている。そのため、複数の光ディスクが装填されたマガジン等がディスクチェンジャの収納部から取り外されたとき、ユーザが好みのシーンや再度再生したい箇所をサーチするために設定したマーカも消去されるという問題点があった。
【０００３】従来の技術は、例えば、特開平１１−３０６７３２号公報に記載されているように、複数の光ディスクが装填されたマガジンが収納部から取り外されたとき、メモリに記憶されている光ディスクのタイトル情報に未確認フラグを付加し、複数の光ディスクが装填されたマガジンが収納部に取り付けられたとき、未確認フラグを付加してタイトル情報を表示し、マガジンに装填されている複数の光ディスクのタイトル情報を確認して、確認された光ディスクのタイトル情報の記憶を更新するようにしたものがあった。
【０００４】
【発明が解決しようとする課題】しかしながら、従来の技術においては、複数の光ディスクが装填されたマガジンが収納部から取り外されたとき、メモリに記憶されている光ディスクのタイトル情報に未確認フラグを付加し、複数の光ディスクが装填されたマガジンが収納部に取り付けられたとき、未確認フラグを付加してタイトル情報を表示し、マガジンに装填されている複数の光ディスクのタイトル情報を確認して、確認された光ディスクのディスク情報の記憶を更新することができたが、マガジンが収納部から取り外された場合、メモリに記憶されている光ディスクのタイトル情報に未確認フラグが付加されて、記憶されている光ディスクのタイトル情報が未確認となり、マガジンに装填されている複数の光ディスクのタイトル情報を確認して、確認された記録媒体のタイトル情報の記憶を更新しなければならないという問題点があった。
【０００５】本発明は上記の点に鑑みてなされたものであり、複数の光ディスクが載置されたロータリトレイがディスクチェンジャの収納部から引き出されたとき、メモリに記憶されているディスク情報とマーカとの記憶を保持し、交換されていない光ディスクのマーカを表示装置の画面に表示して、表示されたマーカを選択して光ディスクを再生することができるディスク再生装置を提供しようとするものである。
【０００６】
【課題を解決するための手段】上記目的を達成するため本発明においては、ロータリトレイに載置された複数の光ディスクを選択して光ディスクを再生するディスク再生装置において、ロータリトレイのディスク番号が割り当てられたディスク載置部に載置された光ディスクのディスク情報とマーカとを該ディスク番号とともに記憶する記憶手段と、ロータリトレイに載置された光ディスクを選択する選択手段と、選択されたディスク番号の光ディスクを再生してディスク情報を読み出し、読み出されたディスク情報と前記記憶手段に記憶されている該ディスク番号のディスク情報とを照合して、光ディスクを判別する判別手段と、前記記憶手段に記憶されているディスク情報とマーカとを表示する表示手段とを備え、ロータリトレイが収納部から引き出されたとき、前記記憶手段に記憶されているディスク情報とマーカとの記憶を保持し、ロータリトレイが収納部に引き込まれ、光ディスクが選択されたとき、選択された光ディスクを再生してディスク情報を読み出して、読み出されたディスク情報と前記記憶手段に記憶されている該ディスク番号のディスク情報とを照合し、その照合結果が一致したと判別された場合、前記記憶手段に記憶されているディスク情報とマーカとを表示し、その照合結果が一致しないと判別された場合、光ディスクから読み出されたディスク情報を前記記憶手段に記憶して該ディスク番号のディスク情報を更新するとともに、前記記憶手段に記憶されているマーカを消去するようにする。
【０００７】光ディスクの判別は、光ディスクに記録されているタイトル或いはボリュームラベルを読み出して、タイトル或いはボリュームラベルを照合して判別するようにするとよい。
【０００８】また、前記表示手段により表示されたマーカを選択するマーカ選択手段と、マーカをサーチして光ディスクを再生する再生手段とを備え、前記表示手段により表示されたマーカが前記マーカ選択手段により選択されたとき、選択されたマーカをサーチして光ディスクを再生するようにする。
【０００９】前記マーカ選択手段によりマーカが選択されたとき、選択されたマーカの表示と選択されていないマーカの表示とを異なる表示で表示するようにするとよい。
【００１０】これらの手段により、複数の光ディスクが載置されたロータリトレイがディスクチェンジャの収納部から引き出されたとき、メモリに記憶されているディスク情報とマーカとの記憶を保持し、交換されていない光ディスクのマーカを表示装置の画面に表示して、表示されたマーカを選択して光ディスクを再生することができる。
【００１１】
【発明の実施の形態】以下、適宜図面を参照しながら本発明の実施の形態を詳述する。図１は本発明の実施の形態に係るディスク再生装置の構成を示すブロック図であり、図２は本発明の実施の形態に係るディスク再生装置のディスクチェンジャを示す説明図であり、図３は本発明の実施の形態に係るディスク再生装置のリモコン装置を示す説明図であり、図４は本発明の実施の形態に係るディスク再生装置のディスク情報とマーカとの表示例を示す図であり、図５は本発明の実施の形態に係るディスク再生装置の動作を示すフローチャートである。
【００１２】まず、図１の本発明の実施の形態に係るディスク再生装置の構成を示すブロック図を基に説明する。
【００１３】ディスク再生装置１は、複数の光ディスク３が収納されたディスクチェンジャ２と、ディスクチェンジャ２に収納された複数の光ディスク３を収納部から引き出すトレイモータ、ディスクを装着するターンテーブルを回転させるスピンドルモータ（いずれも図示せず）を駆動する駆動回路４と、光ディスク３から光ピックアップ（図示せず）により光学的に読み出された情報信号を復調して、復調された情報信号の誤りを訂正し、映像信号、音声信号、ＴＯＣ（Ｔａｂｌｅ　ｏｆ　Ｃｏｎｔｅｎｔｓ）領域に記録されているタイトル、ボリュームラベル等のディスク情報信号をデコードして、光ディスク３に記録されている映像信号、音声信号、ディスク情報信号を再生する再生回路５と、ディスク再生装置１のシステム全体を制御するマイコン６と、ディスク情報等の文字信号を映像信号に重畳して、文字信号が重畳された映像信号を表示装置３０に送出して、ディスク情報等を画面３０ａに表示するＯＳＤ（Ｏｎ−Ｓｃｒｅｅｎ　Ｃｈａｒａｃｔｅｒ　Ｄｉｓｐｌａｙ）回路７と、光ディスクのディスク情報とマーカとを記憶するメモリ８と、リモコン装置２０から送信された赤外線信号のリモコン信号を受信し、所定の電気信号に変換するリモコン受信部９とで構成されている。
【００１４】また、図２の本発明の実施の形態に係るディスク再生装置のディスクチェンジャを示す説明図を基に説明する。
【００１５】ディスクチェンジャ２は、複数の光ディスクを載置するディスク載置部３ａ〜３ｅが設けられたロータリトレイ２ａと、ロータリトレイ２ａが軸着され、ロータリトレイ２ａをディスクチェンジャ２の収納部から引き出し、或いはロータリトレイ２ａをディスクチェンジャ２の収納部に引き込むスライドトレイ２ｂとを有し、ロータリトレイ２ａ、スライドトレイ２ｂは、それぞれモータ（図示せず）により駆動されるようになっている。
【００１６】また、ロータリトレイ２ａのディスク載置部は、ディスク番号がそれぞれ割り当てられ、ディスク番号を選択することにより、ディスク載置部３ａ〜３ｅに載置されたディスクが同時に回転して、選択された光ディスクがターンテーブル（図示せず）に移動して、ターンテーブルに装着され、選択された光ディスクを再生することができるようになっている。
【００１７】スライドトレイ２ｂがディスクチェンジャ２の収納部から引き出されたとき、図２に示すように、ロータリトレイ２ａのディスク載置部３ａ〜３ｅに載置された複数の光ディスクの中、図２の３ｃ、３ｄの位置にある２つの光ディスクを別の光ディスクと交換することできるようになっている。
【００１８】また、ロータリトレイ２ａがディスクチェンジャ２の収納部に引き込まれたとき、即ちロータリトレイ２が図２の上方に移動したとき、ロータリトレイ２ａのディスク載置部３ａ〜３ｅに載置された複数の光ディスクの中、図２の３ａの位置にある光ディスクが、スピンドルモータの回転により回転するターンテーブルに装着され、光ディスクに記録されている情報信号が再生されるようになっている。
【００１９】また、図３の本発明の実施の形態に係るディスク再生装置のリモコン装置を示す説明図を基に説明する。
【００２０】リモコン装置２０には、ディスクチェンジャ２のロータリトレイ２ａに載置された光ディスクのディスク番号を入力して、光ディスクを選択するディスク選択キーのテンキー２０ａ、表示装置３０の画面３０ａに表示されたマーカを選択するカーソルキー２０ｂ、カーソルキー２０ｂにより選択されたマーカの選択を確定して、選択されたマーカをサーチして光ディスクを再生する確定キー２０ｃ、メモリに記憶されているマーカを消去する消去キー２０ｄ、ロータリトレイ２ａをディスクチェンジャ２の収納部から引き出し、或いはロータリトレイ２ａをディスクチェンジャ２の収納部に引き込むディスク取出キー２０ｅ等の複数の操作キーが設けられていて、これらの操作キーを操作することにより赤外線信号のリモコン信号がディスク再生装置１に送信され、ディスク再生装置１を所望動作させることができるようになっている。
【００２１】以上のように構成されたディスク再生装置について以下その動作について説明する。
【００２２】リモコン装置２０のディスク取出キー２０ｅが操作されると、リモコン装置２０から送信された赤外線信号のリモコン信号がリモコン受信部９により受信され、マイコン６に送出される。マイコン６は、リモコン装置２０からのディスク取出キー２０ｅのリモコン信号を受信すると、駆動回路４に制御信号を送出して、スライドトレイ２ｂを駆動するモータを駆動し、複数の光ディスク３が載置されたロータリトレイ２ａをディスクチェンジャ２の収納部に引き込む。
【００２３】そして、ユーザが、リモコン装置２０のテンキー２０ａを操作して、ロータリトレイ２ａに載置された複数の光ディスク３の中から所望の光ディスクのディスク番号を選択すると、マイコン６は、そのリモコン信号をリモコン受信部９により受信して、駆動回路４に制御信号を送出してモータを駆動し、ロータリトレイ２ａを回転して、選択されたディスク番号の光ディスクを光ディスク３ａの位置に移動してターンテーブルに装着し、光ディスク３ａのＴＯＣ領域からディスク情報を読み出す。ＤＶＤの場合、ＴＯＣ領域からタイトルが読み出され、ＣＤの場合、ＴＯＣ領域からボリュームラベルが読み出される。
【００２４】マイコン６は、選択された光ディスク３ａから読み出したディスク情報とメモリ８に記憶されているディスク番号のディスク情報とを照合し、その照合結果が一致した場合、選択された光ディスクのディスク番号と、メモリ８に記憶されているディスク情報とマーカとを表示装置３０の画面３０ａに表示する（図４参照）。また、マイコン６は、ディスク情報の照合結果が一致しない場合、光ディスクから読み出したディスク情報をメモリ８に記憶して、ディスク番号のディスク情報を更新するとともに、メモリに記憶されている選択されたディスク番号のマーカを消去する。なお、ディスク番号のディスク情報がメモリに記憶されていない場合、光ディスクから読み出されたディスク情報の照合結果が一致しないので、新たにメモリにディスク情報が記憶されることになる。
【００２５】リモコン装置２０のカーソルキーが操作され、マーカが選択されると、表示装置３０の画面３０ａに表示されている選択されたマーカの番号がハイライト表示される（図４参照。なお、図４ではハイライト表示を枠表示で示している）。そして、リモコン装置２０の確定キー２０ｃが操作されると、選択されたマーカがサーチされて光ディスク３ａが再生される。
【００２６】また、表示装置３０の画面３０ａに表示されたマーカを選択して、リモコン装置２０の消去キー２０ｃを操作することにより、メモリ８に記憶されている選択されたマーカを消去することができるようになっている
【００２７】ユーザがロータリトレイ２ａに載置されている光ディスクを他の光ディスクと交換する場合、リモコン装置２０のディスク取出キー２０ｅを操作して、ロータリトレイ２ａをディスクチェンジャ２の収納部から引き出し、ロータリトレイ２ａのディスク載置部の図２の３ｃ、３ｄの位置にある光ディスクを別の光ディスクと交換する。
【００２８】ロータリトレイ２ａがディスクチェンジャ２から引き出されたとき、メモリ８に記憶されているディスク情報とマーカとの記憶が保持されるようになっていて、ロータリトレイ２ａのディスク載置部の図２の３ｃ或いは３ｄの位置にある光ディスクを別の光ディスクと交換せずに、ロータリトレイ２ａをディスクチェンジャ２の収納部に引き込んだとき、上述したように、ディスク情報が読み出されたときディスク情報が一致し、メモリ８に記憶されているマーカが表示装置３０の画面３０ａに表示され、表示されたマーカを選択して光ディスクを再生することができる。
【００２９】また、図５の本発明の実施の形態に係るディスク再生装置の動作を示すフローチャートを基に説明する。
【００３０】複数の光ディスクが載置されたロータリトレイがディスクチェンジャの収納部に引き込まれると、ステップＳ１からステップＳ２に進み、ディスク番号を入力して、ロータリトレイに載置された複数の光ディスクを選択するリモコン装置のディスク選択キー、即ちリモコン装置のテンキーが操作されたか否かが判断され、リモコン装置のテンキーが操作された場合、ステップＳ３に進み、リモコン装置のテンキーが操作されていない場合、ステップＳ７に進む。
【００３１】ステップＳ３で、ロータリトレイが回転させられて、選択されたディスク番号の光ディスクがターンテーブルに装着され、光ディスクのＴＯＣ領域からディスク情報が読み出されて、ステップＳ４に進む。
【００３２】ステップＳ４で、選択されたディスク番号の光ディスクから読み出されたディスク情報とメモリに記憶されているディスク番号のディスク情報とが照合され、その照合結果が一致したか否かが判断され、ディスク情報の照合結果が一致した場合、ステップＳ５に進み、ディスク情報の照合結果が一致しない場合、ステップＳ６に進む。
【００３３】ステップＳ５で、メモリに記憶されているディスク情報とマーカとが表示装置の画面に表示され、ステップＳ７に進む。
【００３４】ステップＳ６で、光ディスクから読み出されたディスク情報がメモリに記憶されて、選択されたディスク番号のディスク情報が更新されるとともに、メモリに記憶されている選択されたディスク番号のマーカが消去され、ステップＳ７に進む。
【００３５】ステップＳ７で、表示装置の画面に表示されたマーカを選択するリモコン装置のカーソルキーが操作されたか否かが判断され、リモコン装置のカーソルキーが操作された場合、ステップＳ８に進み、リモコン装置のカーソルキーが操作されていない場合、ステップＳ９に進む。
【００３６】ステップＳ８で、リモコン装置のカーソルキーにより選択されたマーカの番号がハイライト表示され、メモリに記憶されている選択されたマーカの情報が表示装置の画面に表示され、ステップＳ９に進む。
【００３７】ステップＳ９で、リモコン装置のカーソルキーの操作により選択されたマーカの選択を確定するリモコン装置の確定キーが操作されたか否かが判断され、リモコン装置の確定キーが操作された場合、ステップＳ１０に進み、リモコン装置の確定キーが操作されていない場合、ステップＳ１１に進む。
【００３８】ステップＳ１０で、選択されたマーカがサーチされて光ディスクが再生され、ステップＳ２に戻る。
【００３９】ステップＳ１１で、メモリに記憶されているマーカを消去するリモコン装置の消去キーが操作されたか否かが判断され、リモコン装置の消去キーが操作された場合、ステップＳ１２に進み、リモコン装置の消去キーが操作されていない場合、ステップＳ１３に進む。
【００４０】ステップＳ１２で、メモリに記憶されている選択されたマーカが消去され、ステップＳ１３に進む。
【００４１】ステップＳ１３で、ディスクチェンジャからロータリトレイを引き出すリモコン装置のディスク取出キーが操作されたか否かが判断され、リモコン装置のディスク取出キーが操作された場合、ステップＳ１４に進み、リモコン装置のディスク取出キーが操作されていない場合、ステップＳ２に戻る。
【００４２】ステップＳ１４で、ロータリトレイがディスクチェンジャの収納部から引き出され、ステップＳ１５に進んで処理を終了する。
【００４３】なお、ディスクチェンジャの収納部から引き出されたロータリトレイに載置された光ディスクを交換して、ロータリトレイをディスクチェンジャの収納部に収納すると、上述したステップＳ１からの処理が実行される。
【００４４】以上、本発明の実施の形態について詳述したが、本発明はこれに限らず、当業者の通常の知識の範囲内でその変形や改良が可能である。例えば、複数の光ディスクがロータリトレイに載置されたディスク再生装置について説明したが、複数の光ディスクがマガジンに装填されたディスク再生装置にも適用できる。
【００４５】また、リモコン装置のカーソルキーにより選択されたマーカをハイライト表示することを説明したが、リモコン装置のカーソルキーにより選択されたマーカは、点滅表示、或いは選択されていないマーカと異なる色で表示するようにしてもよい。
【００４６】
【発明の効果】以上説明してきたように、本発明によるディスク再生装置によれば、ロータリトレイが収納部から引き出されたとき、メモリに記憶されているディスク情報とマーカとの記憶を保持し、ロータリトレイが収納部に引き込まれ、光ディスクが選択されたとき、選択された光ディスクを再生してディスク情報を読み出して、読み出されたディスク情報とメモリに記憶されている該ディスク番号のディスク情報とを照合し、その照合結果が一致したと判別された場合、メモリに記憶されているディスク情報とマーカとを表示し、その照合結果が一致しないと判別された場合、光ディスクから読み出されたディスク情報をメモリに記憶して該ディスク番号のディスク情報を更新するとともに、メモリに記憶されているマーカを消去することができる。また、表示装置の画面に表示されたマーカを選択して、選択されたマーカをサーチして光ディスクを再生することができる。このことにより、複数の光ディスクが載置されたロータリトレイがディスクチェンジャの収納部から引き出されたとき、メモリに記憶されているディスク情報とマーカとの記憶を保持し、交換されていない光ディスクのマーカを表示装置の画面に表示して、表示されたマーカを選択して光ディスクを再生することができる。
【００４７】請求項１記載の発明に係るディスク再生装置は、ロータリトレイが収納部から引き出されたとき、記憶手段に記憶されているディスク情報とマーカとの記憶を保持し、ロータリトレイが収納部に引き込まれ、光ディスクが選択されたとき、選択された光ディスクを再生してディスク情報を読み出して、読み出されたディスク情報と記憶手段に記憶されている該ディスク番号のディスク情報とを照合し、その照合結果が一致しないと判別された場合、光ディスクから読み出されたディスク情報を記憶手段に記憶して該ディスク番号のディスク情報を更新するとともに、記憶手段に記憶されているマーカを消去し、その照合結果が一致したと判別された場合、記憶手段に記憶されているディスク情報とマーカとを表示し、表示されたマーカを選択して、選択されたマーカをサーチして光ディスクを再生することができるようにしている。
【００４８】請求項２記載の発明に係るディスク再生装置は、ロータリトレイが収納部から引き出されたとき、記憶手段に記憶されているディスク情報とマーカとの記憶を保持し、ロータリトレイが収納部に引き込まれ、光ディスクが選択されたとき、選択された光ディスクを再生してディスク情報を読み出して、読み出されたディスク情報と記憶手段に記憶されている該ディスク番号のディスク情報とを照合し、その照合結果が一致したと判別された場合、記憶手段に記憶されているディスク情報とマーカとを表示し、その照合結果が一致しないと判別された場合、光ディスクから読み出されたディスク情報を記憶手段に記憶して該ディスク番号のディスク情報を更新するとともに、記憶手段に記憶されているマーカを消去するようにしている。
【００４９】請求項３記載の発明に係るディスク再生装置は、光ディスクに記録されているタイトルを読み出してタイトルを照合し、光ディスクを判別するようにしている。
【００５０】請求項４記載の発明に係るディスク再生装置は、光ディスクに記録されているボリュームラベルを読み出してボリュームラベルを照合し、光ディスクを判別するようにしている。
【００５１】請求項５記載の発明に係るディスク再生装置は、表示装置の画面に表示されたマーカを選択して、選択されたマーカをサーチして光ディスクを再生することができるようにしている。
【００５２】請求項６記載の発明に係るディスク再生装置は、表示装置の画面に表示されたマーカが選択されたとき、選択されたマーカの表示と選択されていないマーカの表示とを異なる表示で表示するようにしている。
【図面の簡単な説明】
【図１】本発明の実施の形態に係るディスク再生装置の構成を示すブロック図である。
【図２】本発明の実施の形態に係るディスク再生装置のディスクチェンジャを示す説明図である。
【図３】本発明の実施の形態に係るディスク再生装置のリモコン装置を示す説明図である。
【図４】本発明の実施の形態に係るディスク再生装置のディスク情報とマーカとの表示例を示す図である。
【図５】本発明の実施の形態に係るディスク再生装置の動作を示すフローチャートである。
【符号の説明】
１　ディスク再生装置
２　ディスクチェンジャ
２ａ　ロータリトレイ
２ｂ　スライドトレイ
３　光ディスク
３ａ〜３ｅ　ディスク載置部
４　駆動回路
５　再生回路
６　マイコン
７　ＯＳＤ回路
８　メモリ
９　リモコン受信部
２０　リモコン装置
２０ａ　テンキー
２０ｂ　カーソルキー
２０ｃ　確定キー
２０ｄ　消去キー
２０ｅ　ディスク取出キー
３０　表示装置
３０ａ　画面
【図１】
2004047030.tif 000003
【図２】
2004047030.tif 000004
【図３】
2004047030.tif 000005
【図４】
2004047030.tif 000006
【図５】
2004047030.tif 000007